(57)【要約】【課題】エラーが発生した時に、そのエラーを知らせる警告の音が小さくても気づくことができるようにすると共に、エラー場所が確実にわかるようにする。【解決手段】複数の検知スイッチＳ−１，Ｓ−２からの検知情報が制御部７に入力されると、制御部７は、前記各検知スイッチＳ−１，Ｓ−２からの検知情報に基づいて遠くにいても気づく電子音とエラー場所を知らせる警告の音声をスピーカー９によって交互に流す。【選択図】図１
2009115397.tif 000002
【特許請求の範囲】
【請求項１】
温度情報、開閉情報、運転情報等を検知する複数の検知センサと、
警告音及び警告の音声を発するスピーカーと、
前記複数の検知センサからの検知情報が入力される制御部とを有し、
前記制御部は、前記複数の検知センサからの検知情報に基づいて前記スピーカーから警告音と警告の音声が交互に流れるよう指令信号を発信することを特徴とする家電製品用の警報装置。
【請求項２】
前記複数の検知センサの外に、音声ガイドスイッチを有し、その音声ガイドスイッチからのスイッチ信号が前記制御部に入力されると、警告音、警告音声に優先してその警告時の対処方法をスピーカーからの音声でガイドすることを特徴とする請求項１記載の家電製品用の警報装置。
【発明の詳細な説明】
【技術分野】
【０００１】
本発明は、冷蔵庫や洗濯機等に適する家電製品用の警報装置に関する。
【背景技術】
【０００２】
一般に冷蔵庫や洗濯機等の家電製品において、運転中に例えば、冷蔵庫のドアが長時間開いていたり、あるいは、洗濯機の脱水中に偏り等のエラーが発生すると警告音が鳴ったり音声で使用者に知らせるようにしている（特許文献１参照）。
【特許文献１】特開２００１−２９３２８５号公報
【発明の開示】
【発明が解決しようとする課題】
【０００３】
運転中に発生したエラーは、警告音又は音声によって知ることができるが、警告音は解除しない限り鳴り続けるため一種の騒音となる。
【０００４】
特に、近年は環境問題から静寂性を売りの手段としてあげられており、許す範囲内で音を低く抑えている。
【０００５】
また、耳が遠くなる老人の人口も年々増加しておりこれらをいかに両立させるかが求められている。
【０００６】
警告音と音声は、一長一短がある。警告音としては例えば比較的高い周波数の音で、ピー・ピーというように一定の間隔で鳴るため比較的小さい音でも遠くまで聞こえる反面、そのエラーが例えば、ドアのように開いていることが見てすぐにわかる場合には問題はないが、例えば、エラーが製氷用の給水タンクの水がない場合には外からではわかりにくい問題をかかえる。
【０００７】
一方、音声は「ドアが開いています」「給水タンクの水がありません」というように音声でエラー場所を直接教えてくれる反面、音が小さい場合、少し離れた位置にいると聞こえなくなる。
【０００８】
特に、音声は電子音に比べて騒音にむすびつきやすいために、低い音にすると気づきにくくなる問題をかかえる。
【０００９】
そこで、本発明にあっては、エラーが発生した時に、そのエラーを知らせる警告の音が小さくても、気づくことができるようにすると共に、エラー場所が確実にわかるようにすることに加えて、エラーの対処方法を必要に応じて音声で教えてくれる静寂性を備えた家電製品用の警報装置を提供することを目的としている。
【課題を解決するための手段】
【００１０】
前記目的を達成するために、本発明にあっては、温度情報、開閉情報、運転情報等を検知する複数の検知センサと、警告音及び警告の音声を発するスピーカーと、前記複数の検知センサからの検知情報が入力される制御部とを有し、前記制御部は、前記複数の検知センサからの検知情報に基づいて前記スピーカーから警告音と警告の音声が交互に流れるよう指令信号を発信することを特徴とする。
【発明の効果】
【００１１】
本発明の警報装置によれば、例えば、製氷用の給水タンクに水がなくなると検知センサが働いてスピーカーから例えば「ピー・ピー」という警告音と「給水タンクの水がありません」という音声が交互に繰り返し流れるため、エラーが発生している場所がすぐにわかることができる。しかも、音が小さくても警告音によって遠くにいても気づくことができると共に、近くに来ることでエラー場所が音声によって確実に知ることができる。
【発明を実施するための最良の形態】
【００１２】
本発明を実施するにあたって、前記複数の検知センサの外に、音声ガイドスイッチを設け、その音声ガイドスイッチからのスイッチ信号が前記制御部に入力されると、警告音、警告音声に優先してその警告時の対処方法をスピーカーからの音声でガイドすることで、エラーの原因を迅速に確認し対応できるようにすることが望ましい。
【実施例】
【００１３】
以下、図１乃至図４の図面を参照しながら本発明の実施形態について具体的に説明する。
【００１４】
図３は冷蔵庫、図４は洗濯機をそれぞれ示している。冷蔵庫１及び洗濯機３には、運転中に例えばドアが開いている等のエラーが発生するとそれを警告する警報装置が設けられている。
【００１５】
エラーを検知する検知センサの数は家電製品によってそれぞれ異なり、例えば、前記した冷蔵庫１の場合にはドア検知センサ、製氷用の水の有無を監視する給水タンクセンサがある。
【００１６】
洗濯機３の場合には、例えば、水道栓の開状態を検知する水道栓検知センサ、ドア検知センサ、洗濯槽の洗濯物片寄りセンサがある。その他にも図示していないがエアコンの場合にはフィルタの目詰まり状態を検知する目詰まり検知センサ等があり家電製品によって数が異なる。
【００１７】
ここでは家電製品の代表例として冷蔵庫１と洗濯機３の警報装置について具体的に説明する。
【００１８】
図１は、冷蔵庫１の警報装置５のブロック図を示しており警報装置５は、制御部７と第１、第２の検知スイッチＳ−１，Ｓ−２とスピーカー９とを有している。
【００１９】
第１の検知スイッチＳ−１は、運転中に冷蔵庫１のドア１１が、一定時間経過しても開になっていると、その開状態を検知するドア検知スイッチとなっている。第２の検知スイッチＳ−２は運転中に給水タンク内の水がなくなると、その液面によって水がなくなったことを検知する給水タンク検知スイッチとなっている。
【００２０】
制御部７は、前記第１、第２の検知スイッチＳ−１，Ｓ−２からの検知情報が入力されると、その検知情報に基づいて、例えば、スピーカー９から「ピー・ピー」という電子音と「ドアが開いています」という音声が交互に流れるようにする警告処理部１３を備えている。
【００２１】
この場合、電子音が鳴る数は少なくとも２回以上鳴った後に音声が流れる作動が交互に繰り返されるようにすることが望ましい。
【００２２】
したがって、このように構成された警報装置５によれば、運転中に例えば、給水タンクの水がなくなると、第２の検知スイッチＳ−２が働き、スピーカー９から、例えば、「ピー・ピー」という電子音と「給水タンクの水がありません」という音声が交互に繰り返し流れるため、直接見えなくても外から給水タンク内に水がなくなっていることがわかるようになる。
【００２３】
しかも、音を小さくしても警告音によって遠く離れていても気づくことができると共に、近くに来ることでエラー場所を音声で確実に知ることができる。
【００２４】
図２は洗濯機３の警報装置５のブロック図を示している。警報装置５は、制御部７と第１、第２、第３の検知スイッチＳ−１，Ｓ−２，Ｓ−３とスピーカー９の外に、音声ガイドスイッチ１５を有している。
【００２５】
第１の検知スイッチＳ−１は例えば、スタート釦を押した時に洗濯機３の扉１７が開になっていると、その開状態を検知する扉検知スイッチとなっている。第２の検知スイッチＳ−２は水道の栓を閉めた後、開けるのを忘れた時に検知する水道栓検知スイッチとなっている。
【００２６】
第３の検知スイッチＳ−３は洗濯槽内の洗濯物が一方に片寄って脱水ができない状態になった時に洗濯物の片寄りを検知する洗濯物片寄りセンサとなっている。
【００２７】
音声ガイドスイッチ１５は洗濯機３の表面パネル１７に設けられ、エラー時の対応方法を聞きたい時にのみ使用するようになっている。
【００２８】
制御部７は前記第１、第２、第３の検知スイッチＳ−１，Ｓ−２，Ｓ−３からの検知情報が入力されると、その検知情報に基づいて、例えば、スピーカー９から「ピー・ピー」という電子音と「扉が開いています」という音声が交互に流れるようにする警告処理部１９と、音声ガイドスイッチ１５を操作し、そのスイッチ信号が入力されると、前記警告音及び警告の音声に優先してその警告時の対処方法を、スピーカー９からの音声でガイドする対処法処理部２１とを備えている。
【００２９】
具体的には「ピー・ピー」という電子音と、例えば「脱水できません」という音声が交互に流れた時に、音声ガイドスイッチ１５を操作すると対処法処理部２１が働き「洗濯物をほぐして下さい。または、片寄りをなくすようタオル等を入れて下さい」という対処方法が音声でガイドされるようになっている。
【００３０】
したがって、このように構成された警報装置５によれば、前記した冷蔵庫１の所で説明した警報装置の作用、効果に加えて、音声ガイドスイッチ１５を操作することで、例えば、洗濯中に洗濯物が片寄り、脱水が一時的にできなくなった時に、その対処方法を音声でガイドしてくれるため迅速な対応が可能となる。
【図面の簡単な説明】
【００３１】
【図１】本発明にかかる冷蔵庫用の警報装置のブロック図。
【図２】洗濯機用の警報装置のブロック図。
【図３】本発明にかかる冷蔵庫の正面図。
【図４】本発明にかかる洗濯機の概要斜視図。
【符号の説明】
【００３２】
５    警報装置
７    制御部
９    スピーカー
１１    警告処理部
１５    音声ガイドスイッチ
１９    警告処理部
２１    対処法処理部
Ｓ−１，Ｓ−２，Ｓ−３    第１、第２、第３の検知スイッチ
【図１】
2009115397.tif 000003
【図２】
2009115397.tif 000004
【図３】
2009115397.tif 000005
【図４】
2009115397.tif 000006